(57)【要約】【課題】データを記録する間に、複合的な機能運用に基づいてデータ記録をサポートすることができるデータ複合記録機能サポート方法及びこれをサポートする端末機を提供する。【解決手段】本発明に係るデータ複合記録機能サポート方法は、オーディオ信号関連機能を活性化させるための入力信号受信段階と、前記オーディオ信号関連機能の運用中にデータ複合記録機能を活性化させるための入力信号受信段階と、前記データ複合記録機能の活性化に応答して音声録音機能を呼出可能なメモ作成画面を出力する段階とを有する。【選択図】      図３
2013055659.tif 000002
【特許請求の範囲】
【請求項１】
オーディオ信号関連機能を活性化させるための入力信号受信段階と、
前記オーディオ信号関連機能の運用中にデータ複合記録機能を活性化させるための入力信号受信段階と、
前記データ複合記録機能の活性化に応答して音声録音機能を呼出可能なメモ作成画面を出力する段階とを有することを特徴とするデータ複合記録機能サポート方法。
【請求項２】
前記音声録音機能が遂行されて音声録音が完了した時、録音された音声に基づいて音声録音情報を生成する段階と、
前記音声録音情報を前記メモ作成画面のメモ機能によるメモ情報と結合させて複合記録情報として格納する段階とをさらに有することを特徴とする請求項１に記載のデータ複合記録機能サポート方法。
【請求項３】
前記複合記録情報をサムネイルイメージに変換する段階と、
前記サムネイルイメージをマルチイメージ画面に出力する段階とをさらに有することを特徴とする請求項２に記載のデータ複合記録機能サポート方法。
【請求項４】
前記音声録音機能を呼び出すための入力信号受信段階と、
前記音声録音機能の活性化に応答して音声録音機能表示領域を前記メモ作成画面上に出力する段階とをさらに有することを特徴とする請求項１に記載のデータ複合記録機能サポート方法。
【請求項５】
新しい音声録音機能を呼び出すための入力信号を受信した場合、前記新しい音声録音機能の活性化に応答して新しい音声録音機能表示領域を、既存の音声録音機能表示領域と区分して前記メモ作成画面上に出力する音声録音機能表示領域出力段階と、
前記音声録音機能が遂行されて音声録音が完了した時、録音された音声の内の少なくとも一部を音声認識し、テキストに変換した後、前記テキストの内の少なくとも一部を前記音声録音機能表示領域の題目として出力する段階と、
前記音声録音機能が遂行されて音声録音が完了した時、録音された音声の内の少なくとも一部を音声認識し、テキストに変換した後、前記テキストに含まれた単語のうち所定の頻度以上用いられる単語を前記音声録音機能表示領域に題目として出力する段階と、
前記音声録音情報が結合された前記メモ情報のみを抜粋し、前記抜粋された音声録音情報が結合されたメモ情報を前記音声録音機能表示領域の隣接する領域に音声録音補助メモ情報として配置する段階との内のいずれか１つの段階をさらに有することを特徴とする請求項４に記載のデータ複合記録機能サポート方法。
【請求項６】
前記音声録音機能表示領域を前記メモ作成画面上に出力する段階は、前記音声録音機能表示領域上に前記音声録音機能による音声録音中の状態であることを表示し、音声録音完了を選択できるようサポートする第１制御マップを出力する段階と、
前記第１制御マップで音声録音完了ボタン選択による音声録音完了を指示し、録音された音声を再生できるようサポートする第２制御マップを出力する段階と、
前記第２制御マップで、録音された音声を再生するボタン選択による録音された音声再生を指示し、再生中の音声を一時停止又は停止ができるようサポートする第３制御マップを出力する段階と、
前記第３制御マップで一時停止するボタン選択による一時停止状態を指示し、さらに再生又は再生中止ができるようサポートする第４制御マップを出力する段階との内の少なくとも１つ段階を含むことを特徴とする請求項４に記載のデータ複合記録機能サポート方法。
【請求項７】
前記音声録音機能表示領域を移動させるための入力信号発生時に、前記入力信号によって前記音声録音機能表示領域を前記メモ作成画面のうちの所定の位置に移動させる段階と、
前記音声録音機能表示領域を選択時に、当該音声録音機能表示領域を削除するための除去ボタンマップを出力する段階と、
前記メモ作成画面を拡大するための入力信号発生時に、前記音声録音機能表示領域を拡大された前記メモ作成画面と重畳しない領域に配置整列させる段階との内のいずれか１つの段階をさらに有することを特徴とする請求項４に記載のデータ複合記録機能サポート方法。
【請求項８】
オーディオ信号関連機能を活性化させるための入力信号と、前記オーディオ信号関連機能運用中にデータ複合記録機能を活性化させるための入力信号とを生成する入力部と入力機能をサポートするタッチパネルとの少なくとも１つと、
前記データ複合記録機能の活性化によって音声録音機能を呼出可能なメモ作成画面を出力する表示パネルと、
前記音声録音機能を呼出可能なメモ作成画面の出力を制御する制御部とを有することを特徴とするデータ複合記録機能サポート端末機。
【請求項９】
前記音声録音機能が遂行されて音声録音が完了した時、前記音声録音完了のための入力信号発生時に録音された音声に基づいて生成された音声録音情報、該音声録音情報を前記メモ作成画面のメモ機能によるメモ情報と結合させて生成される複合記録情報を格納する格納部をさらに有することを特徴とする請求項８に記載のデータ複合記録機能サポート端末機。
【請求項１０】
前記制御部は、前記複合記録情報をサムネイルイメージに変換し、該サムネイルイメージを前記表示パネル上に具現されるマルチイメージ画面に出力するように制御することを特徴とする請求項９に記載のデータ複合記録機能サポート端末機。
【請求項１１】
前記表示パネルは、前記入力部又は入力機能をサポートするタッチパネルから前記音声録音機能を呼び出すための入力信号受信時に、前記音声録音機能の活性化による音声録音機能表示領域を前記メモ作成画面上に出力し、
新しい音声録音機能を呼び出すための入力信号受信時に、前記新しい音声録音機能の活性化による新しい音声録音機能表示領域を、既存の音声録音機能表示領域と区分して前記メモ作成画面上に出力することを特徴とする請求項９に記載のデータ複合記録機能サポート端末機。
【請求項１２】
前記制御部は、前記音声録音機能が遂行されて音声録音が完了した時、音声録音完了のための入力信号発生時に録音された音声の内の少なくとも一部を音声認識してテキストに変換し、前記テキストの内の少なくとも一部を前記音声録音機能表示領域の題目として出力するように制御し、
前記音声録音機能が遂行されて音声録音が完了した時、音声録音完了のための入力信号発生時に録音された音声の内の少なくとも一部を音声認識し、テキストに変換し、前記テキストに含まれた単語のうち一定頻度数以上の単語を前記音声録音機能表示領域に題目として出力するように制御することを特徴とする請求項１１に記載のデータ複合記録機能サポート端末機。
【請求項１３】
前記表示パネルは、前記音声録音機能表示領域上に前記音声録音機能による音声録音中の状態であることを表示し、音声録音完了を選択できるようサポートする第１制御マップと、
前記第１制御マップで音声録音完了ボタン選択による音声録音完了を指示し、録音された音声を再生できるようサポートする第２制御マップと、
前記第２制御マップで録音された音声を再生するためのボタン選択による録音された音声再生を指示し、再生中の音声を一時停止又は停止ができるようサポートする第３制御マップと、
前記第３制御マップで一時停止のためのボタン選択による一時停止状態を指示し、さらに再生又は再生中止ができるようサポートする第４制御マップとの内の少なくとも１つを出力することを特徴とする請求項１１に記載のデータ複合記録機能サポート端末機。
【請求項１４】
前記制御部は、前記音声録音情報から結合されたメモ情報のみを抜粋し、前記抜粋された前記メモ情報を前記音声録音機能表示領域の隣接する領域に音声録音補助メモ情報として配置することを特徴とする請求項１１に記載のデータ複合記録機能サポート端末機。
【請求項１５】
前記表示パネルは、前記音声録音機能表示領域を移動させるための入力信号発生時に、前記入力信号によって前記メモ作成画面のうちの所定の位置に移動して表示する前記音声録音機能表示領域と、
前記音声録音機能表示領域を選択時に、当該音声録音機能表示領域を削除するための除去ボタンマップと、
前記メモ作成画面を拡大するための入力信号発生時に、拡大された前記メモ作成画面と重畳しない領域に配置整列する前記音声録音機能表示領域との内の少なくとも１つを出力することを特徴とする請求項１１に記載のデータ複合記録機能サポート端末機。
【発明の詳細な説明】
【技術分野】
【０００１】
本発明は、データ記録に関し、特に、メモ作成及び格納時に音声録音機能を一緒に運用するようにサポートし、格納されたデータをさらに容易に確認することができるようにサポートするデータ複合記録機能サポート方法及びこれをサポートする端末機に関する。
【背景技術】
【０００２】
携帯端末機は、移動性を基盤として通話機能をサポートする端末機であって、その利用の便利性と携帯の容易性などによって非常にバラエティーに富んだ携帯端末機を用いることがますます一般化している。
【０００３】
このような携帯端末機は、ユーザ機能提供のために多様な入力方式を提供している。例えば、従来、携帯端末機は、タッチパネルと表示部を含むタッチスクリーンを提供することによって、ユーザが表示部に出力される特定イメージを選択するために行う動作をタッチパネルで処理することができる。また、携帯端末機は、当該ユーザ動作によるタッチイベントを生成し、これに基づいてユーザ機能に対応する応用プログラムを制御している。
【０００４】
一方、携帯端末機のユーザは、携帯端末機の利用中に特定事件の情報記入のためにメモ機能を利用している。このような従来のメモ機能は、単純にメモ帳を活性化した後、テキスト情報を記入し格納する機能のみを提供している。
ところが、ユーザがメモ機能を利用して情報記入を行う場合、通常、要約情報のみを記載するか、または含蓄された形態で情報を記載するので、追ってメモ確認をさらに行う場合、どんな内容のためにメモを作成したか理解することが容易でない点がある。
また、作成されたメモは、一括的に格納されるので、メモ管理も容易ではない問題点がある。すなわち従来のメモ機能は、メモ管理が不便であり、作成されたメモの内容を類推し記憶するのに困難があり、ユーザがよく使用しない機能になっているという問題がある。
【発明の概要】
【発明が解決しようとする課題】
【０００５】
そこで、本発明は上記従来の携帯端末機における問題点に鑑みてなされたものであって、本発明の目的は、データを記録する間に、複合的な機能運用に基づいてデータ記録をサポートすることができるデータ複合記録サポート方法及びこれをサポートする端末機を提供することにある。
また、本発明の他の目的は、複合的な機能運用に基づいて記録されたデータの特性を、より簡単に確認し管理することができるようにサポートするデータ複合記録サポート機能方法及びこれをサポートする端末機を提供することにある。
【課題を解決するための手段】
【０００６】
上記目的を達成するためになされた本発明によるデータ複合記録機能サポート方法は、オーディオ信号関連機能を活性化させるための入力信号受信段階と、前記オーディオ信号関連機能の運用中にデータ複合記録機能を活性化させるための入力信号受信段階と、前記データ複合記録機能の活性化に応答して音声録音機能を呼出可能なメモ作成画面を出力する段階とを有することを特徴とする。
【０００７】
上記目的を達成するためになされた本発明によるデータ複合記録機能サポート端末機は、オーディオ信号関連機能を活性化させるための入力信号と、前記オーディオ信号関連機能運用中にデータ複合記録機能を活性化させるための入力信号とを生成する入力部と入力機能をサポートするタッチパネルとの少なくとも１つと、前記データ複合記録機能の活性化によって音声録音機能を呼出可能なメモ作成画面を出力する表示パネルと、前記音声録音機能を呼出可能なメモ作成画面の出力を制御する制御部とを有することを特徴とする。
【発明の効果】
【０００８】
本発明に係るデータ複合記録機能サポート方法及びこれをサポートする端末機によれば、データ記録を複合的な方法でサポートすることができ、記録されたデータの検索と確認をさらに容易に行うことができるようにサポートするという効果がある。
【図面の簡単な説明】
【０００９】
【図１】本発明の実施形態による端末機の構成を概略的に示すブロック図である。
【図２】図１の制御部構成をより詳しく示すブロック図である。
【図３】本発明の実施形態によるデータ複合記録機能サポート方法を説明するためのフローチャートである。
【図４】本発明の実施形態によるデータ複合記録機能呼出のための画面インターフェースの一例を示す図である。
【図５】本発明の実施形態によるデータ複合記録機能サポート画面インターフェースの一例を示す図である。
【図６】本発明の実施形態によるデータ複合記録機能のうち音声録音機能サポートの制御マップの形態を示す図である。
【図７】本発明の実施形態によるデータ複合記録機能による音声録音機能を説明するためのインターフェース画面を示す図である。
【図８】本発明の実施形態によるデータ複合記録機能のうちメモ機能を説明するための図である。
【図９】本発明の実施形態によるデータ複合記録機能のうち画面変換機能を説明するためのインターフェース画面を示す図である。
【図１０】本発明の実施形態によるデータ複合記録機能のうち音声録音機能表示領域の移動機能を説明するためのインターフェース画面を示す図である。
【図１１】本発明の実施形態によるデータ複合記録機能のうち音声録音機能表示領域の他の運用形態を説明するためのインターフェース画面を示す図である。
【図１２】本発明の実施形態による複合記録情報検索の一例を説明するための図である。
【図１３】本発明の実施形態による複合記録情報検索の他の一例を説明するための図である。
【発明を実施するための形態】
【００１０】
次に、本発明に係るデータ複合記録機能サポート方法及びこれをサポートする端末機を実施するための形態の具体例を図面を参照しながら説明する。
【００１１】
下記の説明では、本発明の実施形態による動作を理解するのに必要な部分だけが説明され、その他の部分の説明は、本発明の要旨を不明確にしないように省略することがあるに留意すべきである。
以下で説明される本明細書及び請求範囲に使用された用語や単語は、通常的または辞書的な意味に限定して解釈すべきものではなく、発明者は、自分の発明を最も最善の方法で説明するために用語の概念で適切に定義することができるという原則に即して本発明の技術的思想に符合する意味と概念として解釈されなければならない。
したがって、本明細書に記載した実施形態と図面に示した構成は、本発明の最も好ましい実施形態に過ぎないものであり、本発明の技術的思想をすべて代弁するものではないので、本出願時点においてこれらを代替することができる多様な均等物と変形例があり得ることを理解しなければならない。
【００１２】
図１は、本発明の実施形態による端末機構成を概略的に示すブロック図である。
図１を参照すると、本発明の実施形態による端末機１００は、無線通信部１１０、入力部１２０、オーディオ処理部１３０、タッチスクリーン１４０、格納部１５０、及び制御部１６０の構成を含む。
【００１３】
このような構成を有する本発明の実施形態による端末機１００は、データ複合記録機能をサポートするためにメモ機能と音声録音機能を同時サポートすることができ、この工程で記録されるメモ情報と音声録音情報を統合した複合記録情報を格納管理することができるようにサポートする。
特に、本発明の実施形態による端末機１００は、オーディオ信号関連機能、例えば、無線通信部１１０基盤の通話機能運用中にメモ機能を活性化することができるようにサポートし、通話機能運用時に収集される音声を音声録音することができるようにサポートする。
また、端末機１００は、収集された音声録音情報をメモ情報に含ませて複合記録情報を生成し、これを格納することができ、且つ複合記録情報検索時にメモ情報または音声録音情報のうち少なくとも１つに基づいて当該情報検索を行うことができるようにサポートする。
【００１４】
無線通信部１１０は、音声通話のための通信チャネル形成及び画像通話のための通信チャネル形成、画像やメッセージなどのデータ伝送のための通信チャネル形成などを制御部１６０の制御の下に行う。
すなわち、無線通信部１１０は、音声通話チャネル、データ通信チャネル、及び画像通話チャネルを移動通信システム間に形成する。このために、無線通信部１１０は、送信する信号の周波数をアップコンバート及び増幅する無線周波数送信部と、受信した信号の周波数を低雑音増幅及びダウンコンバートする無線周波数受信部などを含むことができる。
【００１５】
特に本発明の実施形態による無線通信部１１０は、音声通話、画像通話、データ通信機能の内のオーディオ信号を他の端末機または特定サーバーから受信し、これを制御部１６０に伝達することができる。
無線通信部１１０が受信したオーディオ信号は、ユーザ制御によって音声録音情報として格納することができる。
【００１６】
一方、無線通信部１１０の運用中に本発明の実施形態によるデータ複合記録機能を活性化させることができる。
すなわち無線通信部１１０の運用中に音声録音機能を呼び出すことが可能なメモ作成画面が出力することができる。ユーザは、データ複合記録機能に基づいて無線通信部１１０を介して受信されたオーディオ信号を音声録音しながらメモ作成を同時に実行することができる。
【００１７】
入力部１２０は、数字又は文字情報を入力して各種機能を設定するための多数の入力キー及び機能キーを含む。
機能キーは、特定機能を行うように設定された方向キー、サイドキー、及びショートカットキーなどを含むことができる。また、入力部１２０は、ユーザ設定及び端末機１００の機能制御と関連したキー信号を生成し、制御部１６０に伝達する。
【００１８】
このような入力部１２０は、多数のキーを含む「ＱＷＥＲＴＹ」キーパッド、３×４キーパッド、４×３キーパッドなどで具現することができる。
また、入力部１２０は、タッチスクリーン１４０上に出力される「ＱＷＥＲＴＹ」キーマップ、３×４キーマップ、４×３キーマップ、メニューマップ、制御キーマップなどで具現することができる。また、入力部１２０は、端末機１００のタッチスクリーン１４０がフルタッチスクリーン形態でサポートされる場合、端末機１００のケース側面に形成されるサイドキーのみを含むこともできる。
【００１９】
特に本発明の実施形態による入力部１２０は、本発明の実施形態によるデータ複合記録機能を活性化するための入力信号、データ複合記録機能が活性化することによってメモ機能が活性化している間に音声録音機能の活性化を要請するための入力信号、音声録音完了のための入力信号、音声録音情報を当該メモ情報とともに複合記録情報として格納するための入力信号、格納された複合記録情報を検索するための入力信号などをユーザ制御によって生成することができる。生成された入力信号は、制御部１６０に伝達され、入力信号による機能運用実行をサポートする。
【００２０】
オーディオ処理部１３０は、通話時に送受信されるオーディオデータ、受信されたメッセージに含まれたオーディオデータ、格納部１５０に格納されたオーディオファイル再生によるオーディオデータなどを出力するためのスピーカーＳＰＫと、通話時にユーザの音声またはその他のオーディオ信号を収集するためのマイクＭＩＣを含む。
このようなオーディオ処理部１３０は、データ複合記録機能運用時、すなわちメモ機能が活性化された状態で音声録音機能サポートのためにマイクＭＩＣを活性化し、メモ作成中にオーディオ信号収集を行うことができる。収集された音声録音情報は、ユーザ制御によって当該メモ情報とともに複合記録情報として格納される。
【００２１】
タッチスクリーン１４０は、表示パネル１４１とタッチパネル１４３を含む。
このようなタッチスクリーン１４０は、表示パネル１４１の前面にタッチパネル１４３が配置される構造を有することができる。
【００２２】
表示パネル１４１は、端末機１００の各種メニューを含めてユーザが入力した情報又はユーザに提供する情報を表示する。
すなわち表示パネル１４１は、端末機１００の利用による多様な画面、例えば、待機画面、メニュー画面、メッセージ作成画面、通話画面などを提供することができる。このような表示パネル１４１は、液晶表示装置（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｅｄ  Ｄｉｏｄｅ）などで形成することができる。また、表示パネルは、タッチパネルの上部または下部に配置することができる。
【００２３】
特に、本発明の実施形態による表示パネル１４１は、データ複合機能サポートインターフェースを提供する。
データ複合機能サポートインターフェースは、メモ機能活性化によるメモ作成画面インターフェース、メモ作成中の音声録音機能活性化による音声録音画面インターフェース、音声録音完了によって音声録音情報が添加されたメモ作成画面インターフェース、作成されたメモ情報をマルチイメージに出力する画面インターフェースなどを含む。
また、表示パネル１４１は、データ複合機能運用によって生成された複合記録情報検索のための画面インターフェースを提供することもできる。表示パネル１４１を介して出力される多様な画面インターフェースについては、後述にて、図面を参照しながらさらに詳しく説明する。
【００２４】
タッチパネル１４３は、表示パネル１４１の前面又は後面のうち少なくとも一方に配置され、タッチする物体、例えばユーザの指の接触によってタッチイベントを生成し、生成されたタッチイベントを制御部１６０に伝達する。
この際、タッチパネル１４３を構成するセンサーは、マトリックス形態で配列され、タッチパネル上で発生するタッチイベントに対して当該位置情報とタッチイベントの種類に対する情報が制御部１６０に伝達される。
【００２５】
特にタッチパネル１４３は、本発明の実施形態によるデータ複合記録機能が活性化される場合、メモ作成画面に対するタッチ機能のサポートを行うことができる。
すなわち本発明の実施形態によるタッチパネル１４３は、メモ作成画面が出力された状態で文字や線又はイメージなどを出力することができるようにするタッチイベント生成をサポートすることができる。
また、タッチパネル１４３は、音声録音情報に対応するイメージがメモ作成画面に出力される場合、当該音声録音情報に対応するイメージ上に特定メモ情報が作成されないように制限することができる。そしてまた、タッチパネル１４３は、タッチイベント特性によって音声録音情報に対応するイメージ上に一部の特定メモ情報が記入されるように許可することもできる。
【００２６】
格納部１５０は、本発明の実施形態による機能動作に必要な多様なアプリケーションプログラムを含めて、タッチスクリーン１４０の運用のためのキーマップやメニューマップなどを格納することができる。
ここで、キーマップ、メニューマップは、それぞれ多様な形態になることができる。すなわち、キーマップは、キーボードマップ、３×４キーマップ、「ＱＷＥＲＴＹ」キーマップなどにすることができ、現在活性化されているアプリケーションプログラムの運用制御のための制御キーマップになることができる。また、メニューマップは、現在活性化されているアプリケーションプログラム運用制御のためのメニューマップになることができる。このような格納部１５０は、大きくプログラム領域とデータ領域を含むことができる。
【００２７】
プログラム領域は、端末機１００の起動及び上述した各構成の運用のためのオペレーティングシステム（ＯＳ、Ｏｐｅｒａｔｉｎｇ  Ｓｙｓｔｅｍ）、端末機１００の多様なユーザ機能サポートのためのアプリケーションプログラム、例えば多様なファイルを再生するためのアプリケーションプログラム、端末機１００の通話機能サポートのためのアプリケーションプログラム、インターネットサーバーに接続するためのウェブブラウザ、その他音源を再生するためのＭＰ３アプリケーションプログラム、写真などを検索するためのイメージ出力アプリケーションプログラム、動画再生アプリケーションプログラムなどを格納することができる。特に、本発明の実施形態によるプログラム領域は、複合記録機能サポートプログラム１５９を含むことができる。複合記録機能サポートプログラム１５９は、メモサポートプログラム１５１、音声録音サポートプログラム１５３を含むことができる。
【００２８】
メモサポートプログラム１５１は、端末機１００のメモ作成機能及びデータ複合記録機能サポートのためのプログラムである。
メモサポートプログラム１５１は、メモ作成画面出力ルーチン、メモ作成サポートルーチン、作成されたメモを格納するルーチンを含むことができる。
また、メモサポートプログラム１５１は、メモ作成画面が出力された状態で音声録音機能を呼び出すことができるように一定メニューを提供するルーチン、音声録音機能呼出によって音声録音情報が生成される場合、少なくとも１つの音声録音情報を作成中のメモ作成画面に追加するルーチン、メモ格納入力信号によって音声録音情報が追加されたメモ情報を複合記録情報として格納するルーチンを含む。
【００２９】
ここで、メモサポートプログラム１５１は、複合記録情報をサムネイル（ｔｈｕｍｂ−ｎａｉｌ）イメージに変換し、これをマルチイメージ画面に表示するルーチンを含むことができる。
また、メモサポートプログラム１５１は、通話中にデータ複合記録機能を呼び出すことができるようにするボタンマップ出力ルーチンを含むことができる。
【００３０】
音声録音サポートプログラム１５３は、音声録音機能をサポートするプログラムであり、特にメモ作成中に音声録音をサポートするプログラムである。
このような音声録音サポートプログラム１５３は、メモ作成画面がサポートされている状態で特定のメニュー選択によって音声録音機能を活性化させるルーチン、録音完了信号によって録音された情報に基づいて音声録音情報を生成するルーチン、生成された音声録音情報をメモサポートプログラム１５１に提供するルーチンを含むことができる。
【００３１】
特に音声録音サポートプログラム１５３は、生成された音声録音情報に含まれたオーディオ信号をテキストに変換し、変換されたテキスト情報のうち少なくとも一部をメモ作成画面の一側に出力するようにサポートする題目サポートルーチン、音声録音情報を指示する音声録音機能表示領域の移動をサポートするルーチン、再生要請によって音声録音機能表示領域にリンクされた音声録音情報を再生するルーチンなどを含むことができる。
また、音声録音サポートプログラム１５３は、音声録音状態を指示する多様な制御マップを出力するルーチンを含むことができる。
【００３２】
題目サポートルーチンは、オーディオ信号から変換されたテキスト情報のうち最初の時点から所定の長さのテキストを当該音声録音情報の題目に割り当てるサブルーチンと、割り当てられた題目情報を当該音声録音機能表示領域に適用して出力するサブルーチンとを含むことができる。
また、題目サポートルーチンは、テキスト情報のうち一定の回数以上繰り返された単語を抽出し、抽出された単語を当該音声録音情報の題目に割り当てるサブルーチンと、当該題目を音声録音機能表示領域に出力するサブルーチンとを含むことができる。
【００３３】
データ領域は、端末機１００の使用によって発生するデータを格納する領域であって、フォンブック（ｐｈｏｎｅｂｏｏｋ）データ、ウィゼット（ｗｉｄｇｅｔ）機能に関連する少なくとも１つのアイコン、及び多様なコンテンツを格納することができる。
また、データ領域は、タッチパネル１４３を介して入力されるユーザ入力を格納することができる。
特にデータ領域は、複合記録情報１５５を格納することができる。複合記録情報１５５は、メモ機能及び音声録音機能に基づいて作成された情報からなることができる。すなわち複合記録情報１５５は、メモ情報と音声録音情報が混合された形態になることができる。さらに、データ領域は、音声認識機能サポートのためのデータを格納することができる。
【００３４】
制御部１６０は、端末機１００の各構成への電源供給を制御し、初期化工程を行うようにサポートする。
また、制御部１６０は、端末機１００のデータ複合記録機能活性化に必要な多様な信号フローを制御する。このために、制御部１６０は、以下の図２に示すような構成を含むことができる。
【００３５】
図２は、本発明の実施形態による制御部１６０の構成をより詳しく示すブロック図である。
図２を参照すると、本発明の実施形態による制御部１６０は、メモ作成サポート部１６１、音声録音サポート部１６３、オーディオ信号関連機能サポート部１６５の構成を含むことができる。
【００３６】
メモ作成サポート部１６１は、端末機１００のメモ機能をサポートすることができ、特に本発明の実施形態によるデータ複合記録機能のうち端末機１００のメモ機能サポートを行う。
このようなメモ作成サポート部１６１は、メモ機能活性化のためのメニュー項目又はウィゼット項目を提供し、当該項目を活性化する入力信号が発生すれば、メモ作成画面を表示パネル１４１に出力するようサポートする。特に、メモ作成サポート部１６１は、オーディオ信号関連特定ユーザ機能、例えば通話機能、音声録音機能などが活性化される場合、表示パネル１４１にデータ複合記録機能のうちメモ機能活性化のためのリンクイメージやボタンマップを出力するようサポートする。
【００３７】
一方、メモ作成サポート部１６１は、データ複合記録機能によるメモ作成工程で音声録音機能を利用することができるようにメモ作成画面に音声録音機能活性化のためのリンクイメージやボタンマップを出力するようサポートする。
また、音声録音機能が呼び出しされれば、メモ作成サポート部１６１は、当該音声録音機能が活性化中に、音声録音完了による音声録音情報を指示するイメージをメモ作成画面の所定位置に出力するようにサポートする。
【００３８】
例えば、メモ作成サポート部１６１は、音声録音情報を音声録音機能表示領域に出力するようにサポートし、ユーザ制御によって当該音声録音機能表示領域をメモ作成画面領域上で移動させることができるようにサポートする。
また、メモ作成サポート部１６１は、端末機の状態変更、例えば縦モードから横モードへの変更又はその反対の変更が発生すれば、当該音声録音機能表示領域を変化された画面の比率に合わせてサイズを調整することができる。
また、メモ作成サポート部１６１は、画面のズームイン又はズームアウト入力信号によってメモ作成画面のサイズが変更される場合、音声録音機能表示領域のサイズを当該画面変化に適応するように変化させるよう制御することができる。
【００３９】
メモ作成サポート部１６１は、メモ作成画面終了によって作成された複合記録情報を格納する場合、当該複合記録情報をサムネイルイメージに変換する。
また、メモ作成サポート部１６１は、情報検索のために当該サムネイルイメージをマルチイメージ画面上に出力するようにサポートすることができる。この際、サムネイルイメージには、作成されたメモ内容だけでなく、音声録音機能表示領域に対応するイメージをも含ませることができる。
【００４０】
さらに、メモ作成サポート部１６１は、複合記録情報に含まれたメモ内容から音声録音機能表示領域を除外させ、メモ内容だけが含まれたイメージをサムネイルイメージに変換し、当該サムネイルイメージが音声録音情報を含むイメージであることを指示するインデックスを当該サムネイルイメージの少なくとも一部に示すようにサポートすることができる。また、メモ作成サポート部１６１は、当該メモ情報に対応するサムネイルイメージをマルチイメージ画面に出力し、且つ、当該サムネイルイメージの隣接した領域上に音声録音情報を別途表示するようにサポートすることができる。
【００４１】
音声録音サポート部１６３は、端末機１００の音声録音機能をサポートし、特に本発明の実施形態によるデータ複合記録機能のうち音声録音機能をサポートする構成である。
特に音声録音サポート部１６３は、データ複合記録機能によってメモ作成画面が提供された状態で音声録音機能をサポートすることができる。このような音声録音サポート部１６３は、ユーザによる音声録音機能を活性化させるための入力信号を受信した場合、音声録音実行と関連した制御マップをメモ作成画面の一部に出力するようサポートする。
ここで、制御マップは、音声録音状態によって多様な形態で出力することができる。制御マップと関連した画面インターフェースについては、後述にて図面を参照してさらに詳しく説明する。
【００４２】
一方、音声録音サポート部１６３は、音声録音完了のための入力信号が発生すれば、格納された音声録音に基づいて音声録音情報を生成する。
この過程で、音声録音サポート部１６３は、音声録音の全体時間情報と日付情報を収集し、当該音声録音情報に含ませるように制御することができる。
また、音声録音サポート部１６３は、音声録音情報の題目を任意の題目として記入することができる。
特に音声録音サポート部１６３は、音声録音情報に含まれた音声のうち少なくとも一部
を音声認識することができる。
【００４３】
このために、音声録音サポート部１６３は、格納部１５０に格納された音声認識データベースを利用することができる。音声認識が完了すれば、音声録音サポート部１６３は、音声認識された内容のうち少なくとも一部を音声録音機能表示領域上に題目として記入するようにサポートすることができる。これにより、メモ作成サポート部１６１によって出力されているメモ作成画面には、音声認識された特定のテキストが題目として記入された音声録音機能表示領域を出力することができる。
さらに、音声録音サポート部１６３は、音声認識された内容から一定の頻度数以上の単語を検索し、最も多い頻度数を有する単語または一定の頻度数以上を有する単語を題目に割り当てることができる。
【００４４】
また、音声録音サポート部１６３は、音声録音情報を生成するとき、音声録音中に記入されたメモ情報だけを収集し、当該音声録音情報に含ませるように制御することができる。これにより、メモ作成画面には、音声録音機能表示領域が出力されると共に、音声録音機能表示領域に隣接する領域に一部のメモ情報が音声録音補助メモ情報として配置される。
音声録音過程で別に作成されたメモがない場合、メモ作成サポート部１６１により音声録音機能表示領域だけがメモ作成画面に出力される。
【００４５】
オーディオ信号関連機能サポート部１６５は、本発明の実施形態によるオーディオ信号関連機能、例えば通話機能、音声録音機能、放送受信機能、ラジオ機能などをサポートする構成である。
特にオーディオ信号関連機能サポート部１６５は、特定のオーディオ信号関連機能サポート時に表示パネル１４１にデータ複合機能呼び出しのためのリンクイメージやボタンマップを出力するようにサポートする。
また、ユーザ制御によってデータ複合機能呼び出しのための入力信号が発生した場合、オーディオ信号関連機能サポート部１６５は、呼び出しのための入力信号特性によってメモ作成サポート部１６１及び音声録音サポート部１６３のうち少なくとも１つの構成を呼び出すことができる。
【００４６】
一方、オーディオ信号関連機能サポート部１６５によるオーディオ信号関連機能が終了した場合、メモ作成サポート部１６１又は音声録音サポート部１６３によりサポートされるメモ機能及び音声録音機能は、その時点までの情報を自動格納するようにサポートすることができ、さらに、ユーザ設定や設計者の意図によってメモ機能及び音声録音機能が自動終了するようにサポートすることもできる。または、メモ作成サポート部１６１及び音声録音サポート部１６３は、メモ機能及び音声録音機能が一定の時間維持されるように制御することもできる。
【００４７】
上述したように、本発明の実施形態によるデータ複合記録サポート端末機は、メモ機能運用工程で音声録音機能を複合的に運用することができるようにサポートし、音声録音機能によって収集された音声録音情報を当該メモ機能によるメモ情報に含ませて複合記録情報として格納することができるようにサポートする。
これにより、ユーザは、通話機能などオーディオ信号収集が可能な機能運用時にメモ機能とともに音声録音機能を容易に運用することができる。また、メモ情報と音声録音情報が一緒に格納及び管理されることによって、情報検索時にユーザは、音声録音情報又はメモ情報のうち少なくとも１つに基づいてさらに容易な情報検索を行うことができる。
【００４８】
図３は、本発明の実施形態によるデータ複合記録機能サポート方法を説明するためのフローチャートである。
図３を参照すると、本発明の端末機１００の制御部１６０は、ステップＳ３０１で、電源部から供給される電源を端末機の各構成に供給するように制御する。
【００４９】
次に、制御部１６０は、ステップＳ３０３で、オーディオ信号関連機能、例えば通話機能や録音機能の活性化のための入力信号の発生可否を確認する。
この段階で、オーディオ信号関連機能と関連がない入力信号が発生すれば、制御部１６０は、ステップＳ３０５に分岐し、当該入力信号に対応するユーザ機能、例えばファイル検索機能、ウェブ接続機能などを行うようにサポートする。
【００５０】
一方、ステップＳ３０３で、オーディオ信号関連機能活性化のための入力信号の発生を確認した場合、制御部１６０は、ステップＳ３０７に分岐し、データ複合記録機能選択のための入力信号の発生可否を確認する。
この工程で、データ複合記録機能呼び出しのための入力信号の発生がない場合、制御部１６０は、ステップＳ３０９に分岐し、当該オーディオ信号関連機能を行うようにサポートする。すなわち制御部１６０は、通話機能、音声録音機能、放送受信機能、ラジオ機能などステップＳ３０３で選択された機能に対応するオーディオ信号出力をサポートし、必要に応じてそれに対応する画面出力をサポートする。
【００５１】
一方、ステップＳ３０７で、データ複合記録機能呼び出しのための入力信号が発生した場合、制御部１６０は、ステップＳ３１１で、データ複合記録機能サポートのための画面インターフェースを表示パネル１４１に出力するようにサポートする。
ここで、データ複合記録機能サポートのための画面インターフェースは、音声録音機能を呼び出すことができる入力信号生成が可能なメモ作成画面になる。制御部１６０は、当該画面インターフェースが出力された状態でメモ作成のための入力信号、すなわち多様なタッチイベントが発生すれば、当該タッチイベントに対応するメモ作成をサポートする。
【００５２】
一方、制御部１６０は、ステップＳ３１３で、音声録音機能活性化のための入力信号の発生があるか否かを確認する。
この段階で、音声録音機能活性化のための入力信号が発生した場合、制御部１６０は、ステップＳ３１５に分岐し、音声録音機能を活性化するように制御する。
この際、制御部１６０は、音声録音機能が活性化されたことを指示するイメージをメモ作成画面上に出力するようサポートすることができる。また、制御部１６０は、音声録音機能が活性化している状態でも、メモ機能によるメモ作成をサポートすることができる。
【００５３】
制御部１６０は、音声録音完了のための入力信号が発生すれば、収集された音声録音に基づいて音声録音情報を生成し、当該音声録音情報に該当するメモ作成画面変更を行う。
すなわち制御部１６０は、音声録音情報に該当する音声録音機能表示領域をメモ作成画面上に出力するようサポートする。
【００５４】
次に、制御部１６０は、ステップＳ３１７で、データ複合記録機能終了のための入力信号の発生があるか否かを確認し、当該入力信号の発生がない場合、ステップＳ３１１の前に分岐して戻り、後続工程を再実行するようサポートする。
一方、データ複合記録機能終了のための入力信号が発生すれば、制御部１６０は、ステップＳ３０３の前に分岐して戻り、後続工程を行うようサポートする。
【００５５】
以上では、本発明の実施形態によるデータ複合記録機能サポート端末機及びその運用によるデータ複合記録機能サポート方法を説明した。
以下では、本発明の実施形態によるデータ複合記録機能運用時に出力される画面インターフェースについて説明する。
【００５６】
図４は、本発明の実施形態によるデータ複合記録サポート機能のうち当該機能呼び出しと関連した画面インターフェースの一例を示す図である。
ユーザは、端末機１００の運用においてオーディオ信号関連機能、例えば通話機能を運用することができる。すなわち他の端末機から通話接続要請が来て応答するか、または他の端末機に要請した通話要請の応答を受信する場合、端末機１００は、他の端末機と通話チャネルを形成し、通話機能をサポートする。この際、端末機１００は、図４に示すような画面を通話中に表示パネル１４１に出力するようサポートすることができる。
【００５７】
特に端末機１００の制御部１６０は、通話中に画面出力過程で本発明の実施形態によるデータ複合記録機能を活性化することができるリンクイメージ又はボタンマップ３０を画面の一部に出力するようサポートすることができる。
ユーザは、通話中に画面でボタンマップ３０を選択する入力信号、例えば当該ボタンマップ３０を選択するタッチイベントを生成し、データ複合記録機能を活性化するよう制御する。
【００５８】
制御部１６０は、ユーザが当該ボタンマップ３０を選択し、データ複合記録機能を活性化するよう要請した場合、通話機能を維持した状態でデータ複合記録機能サポートのための画面インターフェースを出力するようサポートする。
この際、制御部１６０は、通話機能をバックグラウンドプロセッシングを通じて維持するように制御する。
【００５９】
図５は、本発明の実施形態によるデータ複合記録機能画面インターフェースの一例を示す図である。
図５を参照すると、表示パネル１４１は、データ複合記録機能のうちメモ機能に対応するメモ作成画面４０を表示する。
メモ作成画面４０には、＜５０１＞画面に示すようにメモ作成が可能なメモ領域４１と、メモ作成と関連したツールを選択することができるツール領域４５と、複合機能呼び出しのための呼出領域４２とを含むことができる。
【００６０】
複合機能呼び出しのための呼出領域４２には、カメラ機能呼び出しのためのカメラアイコン３１、音声録音機能呼び出しのための音声録音アイコン３３、特殊機能呼び出しのための特殊機能アイコン３５を含むことができる。
＜５０１＞画面で、ユーザは、本発明の実施形態によるデータ複合記録機能運用のために音声録音アイコン３３を選択して入力信号を生成することができる。
【００６１】
表示パネル１４１は、＜５０３＞画面のように、音声録音機能が適用された画面インターフェースを出力することができる。
特に表示パネル１４１は、音声録音機能サポート状態を指示する音声録音機能表示領域５０を出力することができる。音声録音機能表示領域５０は、メモ領域４１上の所定の領域に出力することができ、特に既に作成されたメモ情報４６と重畳しない所定の領域上に出力することができる。音声録音機能表示領域５０は、音声録音と関連した多様な状態を指示するように特定インデックスやイメージなどを含む形態で出力することができる。特に＜５０３＞画面のように、音声録音中の場合、音声録音機能表示領域５０は、音声録音中であることを指示するインデックスまたは音声録音進行時間などを表示することができる。
【００６２】
ユーザは、音声録音完了のための入力信号を生成することができる。
特にユーザは、＜５０３＞画面で、音声録音機能表示領域５０の中止ボタン、例えば四角形形状のイメージを選択し、音声録音完了を行うことができる。それにより、表示パネル１４１は、＜５０５＞画面のように、録音された音声で音声録音情報を生成し、且つ当該音声録音機能表示領域５０に題目を記入することができる。
このために制御部１６０は、録音された音声の少なくとも一部を音声認識してテキストに変換し、変換されたテキストのうち少なくとも一部の内容を音声録音機能表示領域５０に題目として記入するよう制御することができる。
【００６３】
図６は、本発明の実施形態による音声録音機能表示領域５０に出力される多様な制御マップを示す図である。
図６を参照すると、本発明の実施形態による音声録音機能表示領域５０に表示される制御マップは、音声録音機能活性化によって音声録音中であることを指示し、音声録音完了を選択することができるようサポートする第１制御マップ６０１と、第１制御マップ６０１で音声録音完了ボタン、例えば四角形イメージボタンを選択することによって音声録音完了を指示し、録音された音声を再生することができるようサポートする第２制御マップ６０３とを含むことができる。
【００６４】
また、本発明の実施形態による制御マップは、第２制御マップ６０３で録音された音声を再生するためのボタン、例えば三角形イメージボタン選択による録音された音声再生を指示し、再生中の音声を一時停止又は停止させることができるようサポートする第３制御マップ６０５を含むことができる。
また、本発明の実施形態による制御マップは、第３制御マップ６０５で一時停止のためのボタン、例えば「ＩＩ」イメージボタン選択による一時停止状態を指示し、さらに再生又は再生中止することができるようサポートする第４制御マップ６０７を含むことができる。
【００６５】
ユーザは、上述した多様な制御マップに基づいて音声録音、録音された音声の再生、再生中の停止又は一時停止などを行うことができる。このような多様な制御マップは、図５で説明したメモ作成画面４０のメモ領域４１上でユーザ制御によって変更されながら出力することができる。
【００６６】
図７は、本発明の実施形態によるデータ複合記録機能による音声録音機能を説明するためのインターフェース画面を示す図である。
図７を参照すると、本発明の実施形態による表示パネル１４１は、複数の音声録音機能表示領域５１、５３を出力することができる。
このためにユーザは、図５の＜５０５＞画面が出力された状態でさらに追加して音声録音機能を活性化するように制御することができる。すなわち端末機１００がオーディオ信号関連機能をサポートしている間に、ユーザの音声録音機能運用によって第１音声録音情報が生成されれば、端末機は、図５の＜５０５＞画面のように、第１音声録音機能表示領域５１を出力することができる。
【００６７】
その後、ユーザは、呼出領域４２にあるアイコンのうち音声録音アイコン３３を再選択し、さらに追加して音声録音を行うことができる。
それにより、制御部１６０は、新しい音声録音機能の活性化によって第２音声録音機能表示領域５３を表示パネル１４１に出力するようサポートする。この際、制御部１６０は、第２音声録音機能表示領域５３を第１音声録音機能表示領域５１と区別される領域上に出力するようサポートする。
【００６８】
一方、第２音声録音機能が完了すれば、制御部１６０は、録音された音声で第２音声録音情報を生成し、且つ、図に示すように第２音声録音機能表示領域５３上に題目を記入する。この工程で、第１音声録音機能表示領域５１上への題目出力工程と同様に、制御部１６０は、新たに録音された第２音声録音情報のうち少なくとも一部を音声認識してテキストに変換し、変換されたテキストのうち少なくとも一部の内容を題目として第２音声録音機能表示領域５３に出力するようサポートする。
【００６９】
図８は、本発明の実施形態によるデータ複合記録機能のうちメモ機能を説明するためのインターフェース画面を示す図である。
図８を参照すると、ユーザがデータ複合記録機能を運用するための入力信号を生成すれば、端末機１００は、＜８０１＞画面のように、メモ機能運用のためのメモ作成画面４０を表示パネル１４１に出力する。
【００７０】
この際、メモ作成画面４０は、音声録音機能を呼び出すことができる音声録音アイコン３３を出力することができる。ユーザは、音声録音アイコン３３の選択を行い、音声録音を行うことができ、音声録音完了時、制御部１６０は、図に示すように、音声録音よる音声録音機能表示領域５０をメモ作成画面４０上に出力するようサポートする。特に制御部１６０は、メモ情報４６が記入されていないメモ領域４１に音声録音機能表示領域５０を出力する。
【００７１】
一方、ユーザは、音声録音機能が完了した後にもメモ作成を行うことができる。
このために制御部１６０は、＜８０３＞画面のように、音声録音機能が完了した後でも、メモ作成のためのメモ作成画面４０を表示パネル１４１に出力するようサポートする。
それにより、ユーザは、メモ領域４１上にさらに追加メモ情報４７を記入することができる。この際、ユーザは、音声録音機能表示領域５０が出力されていないメモ領域４１にメモを作成することが好ましい。ここで、ユーザが追加メモ情報４７を記入する過程で追加メモ情報４７の少なくとも一部が音声録音機能表示領域５０に重畳しても、制御部１６０は、これを許容するように制御する。すなわち制御部１６０は、追加メモ情報４７作成のためのタッチイベントが音声録音機能表示領域５０を経て発生しても、これを有効なタッチイベントとして認識し、それによる追加メモ情報４７の適用を行うことができる。
【００７２】
但し、制御部１６０は、＜８０５＞画面のように、音声録音機能表示領域５０上で発生するタッチイベントに対しては無効処理する。すなわち制御部１６０は、音声録音機能表示領域５０が出力された位置上で発生するタッチイベントを無効処理し、別途の追加メモ情報４７が作成されないよう制御することができる。
この工程で、制御部１６０は、追加メモ情報４７の記入不可を案内する案内音や振動アラームを出力するよう制御することができる。一方、制御部１６０は、音声録音機能表示領域５０のうち制御マップ領域６０３でタッチイベントが発生した場合、当該音声録音機能表示領域５０にリンクされた音声録音情報を再生するように制御する。
【００７３】
図９は、本発明の実施形態によるデータ複合記録機能のうち画面転換機能を説明のためのインターフェース画面を示す図である。
図９を参照すると、表示パネル１４１は、本発明の実施形態によるデータ複合記録機能運用によって＜９０１＞画面のようにメモ情報４６と音声録音機能表示領域５０が出力されるメモ作成画面４０を出力する。ここで、ユーザは、メモ作成画面４０を拡大するためのタッチイベント生成を行うことができる。例えば、ユーザは、メモ作成画面４０上でズームインイベントを生成させるためのタッチ動作を行うことができる。
【００７４】
それにより、制御部１６０は、タッチ動作の移動距離と速度に対応する画面拡大を行うことができる。すなわち制御部１６０は、＜９０３＞画面のように、ズームインイベントが発生した地点を中心に一定の比率に拡大された画面を出力する。この際、制御部１６０は、音声録音機能表示領域５０を別途の画面拡大なしに以前の状態を維持するように制御することができる。且つ、制御部１６０は、メモ情報４６の拡大によって音声録音機能表示領域５０の位置を変更するよう制御することができる。すなわち制御部１６０は、メモ情報４６の拡大によって音声録音機能表示領域５０がメモ情報４６と重畳しないように位置移動させることができる。
【００７５】
一方、ユーザは、端末機１００の運用中に縦モードから横モードへの状態変更のための動作を行うことができる。
それにより、端末機１００は、＜９０５＞段階のように、横モード状態に配置することができる。且つ、端末機１００は、横モードによって表示パネル１４１の出力をサポートする。
特に制御部１６０は、＜９０３＞画面で出力されていた縦画面を横画面に転換して表示パネル１４１に出力されるよう制御する。この際、制御部１６０は、音声録音機能表示領域５０を横モードに対応するように調整することができる。例えば、制御部１６０は、音声録音機能表示領域５０の一定領域を少なくとも一方向に拡張して表示されるよう制御することができる。また、制御部１６０は、横モード転換によって音声録音機能表示領域５０がメモ情報４６と重畳しないように画面位置の整列を行うことができる。
【００７６】
図１０は、本発明の実施形態によるデータ複合記録機能のうち移動機能を説明するためのインターフェース画面の図である。
図１０を参照すると、表示パネル１４１は、＜１００１＞画面のように、音声録音機能表示領域５０とメモ情報４６が一緒に出力されるメモ作成画面４０を出力する。
【００７７】
この際、ユーザは、音声録音機能表示領域５０をメモ作成画面４０の任意の領域に出力することを所望することができる。このために、ユーザは、音声録音機能表示領域５０の選択のための入力信号を生成することができる。すなわちユーザは、音声録音機能表示領域５０が出力された領域上で一定のタッチイベント、例えばロングタッチ、複数のタップタッチなどを行う。
【００７８】
それにより、制御部１６０は、＜１００３＞画面のように、音声録音機能表示領域５０が選択されたことを指示する画面効果を提供する。すなわち制御部１６０は、音声録音機能表示領域５０をボックス処理するか、ハイライト処理するか、または色反転処理するように制御することができる。且つ、制御部１６０は、当該音声録音機能表示領域５０を除去することができる除去ボタンマップ５５を当該音声録音機能表示領域５０の隣接領域に出力するようサポートすることができる。
【００７９】
もし、音声録音機能表示領域５０を除去しようとする場合、ユーザは、除去ボタンマップ５５を選択して除去することができる。
除去ボタンマップ５５の選択のための入力信号が発生すれば、制御部１６０は、音声録音機能表示領域５０の除去だけでなく、音声録音機能表示領域５０にリンクされた音声録音情報まで一緒に除去するように制御することができる。
【００８０】
一方、音声録音機能表示領域５０が選択されれば、ユーザは、タッチムーブ動作、すなわちドラッグイベントを生成させて選択された音声録音機能表示領域５０をメモ作成画面４０の任意の領域に移動配置させることができる。例えば、ユーザは、＜１００５＞画面のように、選択された音声録音機能表示領域５０をメモ作成画面４０の下端に配置させるように動作させることができる。その後、タッチ解除イベントが発生すれば、制御部１６０は、音声録音機能表示領域５０をメモ作成画面４０の下端に固定させるように制御する。
【００８１】
図１１は、本発明の実施形態によるデータ複合記録機能のうち音声録音機能表示領域の他の運用形態を説明するためのインターフェース画面を示す図である。
図１１を参照すると、表示パネル１４１は、ユーザ制御によって音声録音機能呼び出しが可能なメモ作成画面４０に該当するデータ複合記録機能画面インターフェースを＜１１０１＞画面のように出力する。
【００８２】
この際、制御部１６０は、オーディオ信号関連機能が維持されるように制御することができる。ユーザは、メモ作成画面４０で音声録音アイコン３３選択のためのタッチ動作を行うことができる。
それにより、制御部１６０は、＜１１０３＞画面のように、音声録音機能を活性化しながら音声録音機能が進行中であることを示す音声録音機能表示領域５０をメモ作成画面４０の一部に出力するようサポートする。これにより、制御部１６０は、外部より受信したオーディオ信号又はマイクＭＩＣが収集するオーディオ信号などを音声録音するように制御することができる。一方、ユーザは、＜１１０３＞画面のように、音声録音中にもメモ作成を行うことができる。それにより、制御部１６０は、音声録音中に追加されたメモ情報４８をメモ作成画面４０に出力することができる。
【００８３】
音声録音を完了させるために、ユーザは、音声録音機能表示領域５０の制御マップ領域６０１を利用する。すなわちユーザは、音声録音完了のための制御マップ領域６０１の選択を行うことができる。それにより、制御部１６０は、＜１１０５＞画面のように、音声録音中に追加されたメモ情報４８を抜粋し、音声録音機能表示領域５０に隣接する領域に音声録音補助メモ情報５６として配置させることができる。
【００８４】
図１２は、本発明の実施形態によるデータ複合記録機能に基づいて生成された情報を検索するサポート画面の一例を示す図である。
図１２を参照すると、制御部１６０は、データ複合記録機能に基づいて生成された複合記録情報をサムネイルイメージに変換することができる。また、制御部１６０は、図に示すように変換されたサムネイルイメージ（１２０１、１２０２、１２０３）をマルチイメージ画面上にそれぞれ出力することができる。
【００８５】
サムネイルイメージ（１２０１、１２０２、１２０３）は、情報記録時点に作成されたメモ情報と音声録音機能表示領域に対応するイメージが一定の比率でそれぞれ縮小されたイメージにすることができる。例えば、第１サムネイルイメージ１２０１は、一定メモ情報と１つの音声録音機能表示領域が画面中央に配置された形態の複合記録情報が縮小されて生成される。第２サムネイルイメージ１２０２は、一定メモ情報と２つの音声録音機能表示領域がそれぞれ画面の一定の領域に分離して配置された形態の複合記録情報が縮小されて生成される。第３サムネイルイメージ１２０３は、一定メモ情報と音声録音機能表示領域が配置され、且つユーザ制御によって音声録音機能表示領域が画面の下端に移動固定された形態の複合記録情報が縮小されて生成される。
ユーザは、上述したサムネイルイメージ（１２０１、１２０２、１２０３）を確認し、当該サムネイルイメージ（１２０１、１２０２、１２０３）がどんな情報を含んでいるかを概略的に確認することができる。
【００８６】
図１３は、本発明の実施例によるデータ複合記録機能に基づいて生成された情報を検索するサポート画面の他の一例を示す図である。
図１３を参照すると、表示パネル１４１は、２つの複合記録情報に対応するサムネイルイメージ（１３０１、１３０２）がそれぞれ出力される。表示パネル１４１に出力されるサムネイルイメージ（１３０１、１３０２）は、それぞれ特定方式によって作成された複合記録情報になることができる。すなわち図１３に示すサムネイルイメージ（１３０１、１３０２）は、音声録音中に追加メモ情報を作成することによって、音声録音機能表示領域に音声録音補助メモ情報が追加された形態の複合記録情報から生成されたイメージになることができる。
【００８７】
また、音声録音機能表示領域に出力される題目は、音声録音情報の音声認識結果のうち一定頻度数以上の単語として決定されたものであることができる。すなわち一番目のサムネイルイメージ１３０１は、「ｐｒｏｍｉｓｅ」という単語が一定頻度数以上含まれた音声録音情報を有する複合記録情報から生成されたイメージになる。これと同様に、二番目のサムネイルイメージ１３０３は、「ｍｅｅｔｉｎｇ」という単語が一定頻度数以上含まれた音声録音情報を有する複合記録情報から生成されたイメージになる。
【００８８】
ユーザは、このようなサムネイルイメージ（１３０１、１３０２）を確認する過程で内部に記入された断片的な情報だけで当該複合記録情報の全体内容を類推することによって、それぞれのサムネイルイメージを選択し、複合記録情報の原本を呼び出さなくても、情報確認をさらに速く且つ簡単に行うことができる。
【００８９】
上述した携帯端末１００は、その提供形態に近距離通信のための近距離通信モジュール、被写体の静止画像／動画を撮影するためのカメラモジュール、携帯端末１００の有線通信方式または無線通信方式によるデータ送受信のためのインターフェース、インターネットネットワークと通信し、インターネット機能を行うインターネット通信モジュール、及びデジタル放送受信と再生機能を行うデジタル放送モジュールなどのように上記で言及していない構成を含むこともできる。
【００９０】
このような構成要素は、デジタル機器のコンバージョンス（ｃｏｎｖｅｒｇｅｎｃｅ）傾向によって変形が非常に多様なので、すべて列挙することはできないが、言及された構成要素と同等な水準の構成要素が携帯端末１００にさらに含まれて構成することができる。また、本発明の実施形態による携帯端末１００は、その提供形態によって前述した構成から特定構成が除外されるか、他の構成に代替されてもよいことは勿論である。これは、本技術分野における通常の知識を有する者には容易に理解され得る。
【００９１】
また、本発明の実施形態による携帯端末１００は、メモ機能及び音声録音機能をサポートするすべての形態のデバイスを含むことができる。例えば、携帯端末１００は、多様な通信システムに対応する通信プロトコルに基づいて動作するすべての移動通信端末機（ｍｏｂｉｌｅ  ｃｏｍｍｕｎｉｃａｔｉｏｎ  ｔｅｒｍｉｎａｌｓ）を含めて、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、音楽再生機（例えば、ＭＰ３プレーヤー）、携帯ゲーム端末、スマートフォン（Ｓｍａｒｔ  Ｐｈｏｎｅ）、ノート・パソコン、及びハンドヘルドパソコンなどすべての情報通信機器とマルチメディア機器及びそれに対する応用機器を含むことができる。
【００９２】
尚、本発明は、上述の実施形態に限られるものではない。本発明の技術的範囲から逸脱しない範囲内で多様に変更実施することが可能である。
【符号の説明】
【００９３】
１００    携帯端末機
１１０    無線通信部
１２０    入力部
１３０    オーディオ処理部
１４０    タッチスクリーン
１４１    表示パネル
１４３    タッチパネル
１５０    格納部
１５１    メモサポートプログラム
１５３    音声録音サポートプログラム
１５５    複合記録情報
１５９    複合記録機能サポートプログラム
１６０    制御部
１６１    メモ作成サポート部
１６３    音声録音サポート部
１６５    オーディオ信号関連機能サポート部
【図１】
2013055659.tif 000003
【図２】
2013055659.tif 000004
【図３】
2013055659.tif 000005
【図４】
2013055659.tif 000006
【図５】
2013055659.tif 000007
【図６】
2013055659.tif 000008
【図７】
2013055659.tif 000009
【図８】
2013055659.tif 000010
【図９】
2013055659.tif 000011
【図１０】
2013055659.tif 000012
【図１１】
2013055659.tif 000013
【図１２】
2013055659.tif 000014
【図１３】
2013055659.tif 000015